(57)【要約】【課題】使い勝手がよく、浮力を得る構造がシンプルで、簡単かつ安価に製造できる防水電子機器フロートジャケットを提供する。【解決手段】防水電子機器フロートジャケット１は、シリコーンゴムその他の弾性素材で形成したジャケット本体２を備え、ジャケット本体２は、フロート３を収容するためのフロート収容部４と、防水電子機器としての防水カメラＣを収容するための機器収容部５とを有し、フロート収容部４にフロート３を収容することによって防水カメラＣに浮力を付与する構造にする。【選択図】図１
2011221171.tif 000002
【特許請求の範囲】
【請求項１】
防水電子機器の外面に装着して使用する防水電子機器フロートジャケットであって、
前記防水電子機器フロートジャケットは、シリコーンゴムその他の弾性素材または剛性素材で形成したジャケット本体を備え、
前記ジャケット本体は、フロートを収容するためのフロート収容部と、防水電子機器を収容するための機器収容部とを有し、前記フロート収容部にフロートを収容することによって防水電子機器に浮力を付与する構造になっていること
を特徴とする防水電子機器フロートジャケット。
【請求項２】
前記フロート収容部は、前記機器収容部の左右いずれか一方、又は、その左右両側、若しくは機器収容部の四隅に設けられること
を特徴とする請求項１に記載の防水電子機器フロートジャケット。
【請求項３】
前記フロート収容部は、前記機器収容部の左右いずれか一方、又は、その左右両側に設けられるとともに、これらのフロート収容部のうち少なくとも左右いずれか一方のフロート収容部に収容される前記フロートは、グリップの形状になっていること
を特徴とする請求項１に記載の防水電子機器フロートジャケット。
【請求項４】
前記フロートには、前記防水電子機器のストラップを挿通させる通し孔が設けられていること
を特徴とする請求項１に記載の防水電子機器フロートジャケット。
【発明の詳細な説明】
【技術分野】
【０００１】
本発明は、防水電子機器の外面に装着して使用される防水電子機器フロートジャケットに関する。
【背景技術】
【０００２】
近年のアウトドアレジャー志向に伴い、防水機能付デジタルカメラやデジタルムービカメラが多数市販されている。これらのカメラには浮力がないので、特にプール施設や海水浴等で当該カメラを使用する際は、フロート付ストラップをカメラに取り付けたり、特許文献１に示すフロートジャケットをカメラに被せたりする等の対策を採ることで、水没によるカメラの紛失を防止している。
【０００３】
特許文献１のフロートジャケット（２）は、ジャケットの内部を二重構造にすることで浮き部（７）を形成し、その浮き部（７）の蓋（９）から浮き部（７）内に気体を充填することによって浮力を得るようにしたものである。
【０００４】
しかしながら、先に説明したフロート付ストラップによると、それをカメラに取り付けたときにカメラからフロートが垂れ下がる形態になるので、フロートがカメラに当たってカメラを傷つけることがある。さらに、撮影時にフロートを掴んでいないと、フロートが揺れることで手振れが生じたり、フロートが撮影範囲内に入って撮影の邪魔になったりするなど、使い勝手も悪い。
【０００５】
特許文献１のフロートジャケット（２）によると、浮き部（７）を形成するためにジャケットの内部を二重構造にしていることや、蓋（９）を開けて浮き部（７）に気体を充填する構造であるため、浮力を得る構造が複雑で、製造コストが高くならざるを得ない。
【０００６】
また、同特許文献１のフロートジャケット（２）では、蓋（９）が引っ掛かって開いてしまうことにより浮き部（７）内の気体が抜けて浮力が無くなるおそれがあり、水没によるカメラの紛失を確実に防止することはできない。
【先行技術文献】
【特許文献】
【０００７】
【特許文献１】特開２００９−２２９８３５号公報
【発明の概要】
【発明が解決しようとする課題】
【０００８】
本発明は、前記問題点を解決するためになされたものであり、その目的は、使い勝手がよく、浮力を得る構造がシンプルで、簡単かつ安価に製造できる防水電子機器フロートジャケットを提供することにある。
【課題を解決するための手段】
【０００９】
前記目的を達成するために、本発明は、防水電子機器の外面に装着して使用する防水電子機器フロートジャケットであって、前記防水電子機器フロートジャケットは、シリコーンゴムその他の弾性素材または剛性素材で形成したジャケット本体を備え、前記ジャケット本体は、フロートを収容するためのフロート収容部と、防水電子機器を収容するための機器収容部とを有し、前記フロート収容部にフロートを収容することによって防水電子機器に浮力を付与する構造になっていることを特徴とする。
【００１０】
前記本発明において、前記フロート収容部は、前記機器収容部の左右いずれか一方、又は、その左右両側、若しくは機器収容部の四隅に設けてもよい。
【００１１】
前記本発明において、前記フロート収容部は、前記機器収容部の左右いずれか一方、又は、その左右両側に設けられるとともに、これらのフロート収容部のうち少なくとも左右いずれか一方のフロート収容部に収容される前記フロートは、グリップの形状になっていてもよい。
【００１２】
前記本発明において、前記フロートには、前記防水電子機器のストラップを挿通させる通し孔が設けられる構成を採用することができる。
【００１３】
本発明において、前記「防水電子機器」とは、防水対策が施されている電子機器のことをいい、例えば、防水カメラ（デジタル記録方式、アナログ記録方式の双方を含む）、防水ムービカメラ（デジタル記録方式、アナログ記録方式の双方を含む）、防水携帯電話機を含むが、これらに限定されることはない。
【発明の効果】
【００１４】
本発明にあっては、前記構成の採用により、以下の作用効果が奏し得られる。
【００１５】
（１）フロート収容部にフロートを収容する構造であるため、従来のフロート付ストラップのようにフロートが防水電子機器から垂れ下がるようなことはなく、垂れ下がったフロートが防水電子機器に接触して防水電子機器を傷つけたり、撮影範囲に入って撮影の邪魔になったりする等の不具合もなく、使い勝手のよい防水電子機器フロートジャケットを提供することができる。
【００１６】
（２）フロート収容部にフロートを収容することで防水電子機器に浮力を付与する構造であるため、特許文献１の従来のフロートジャケットのような蓋からの気体の漏れによる浮力の低下が生じるおそれはなく、水没によるカメラの紛失を確実に防止することができる。更に、特許文献１の従来のフロートジャケットに比べて、浮力を得る構造がシンプルであり、この種のフロートジャケットを簡単かつ安価に製造できる。
【００１７】
（３）特に、フロートをグリップの形状とする構成では、フロートが防水電子機器のグリップとして機能するから、防水電子機器を安定に把持することができ、防水電子機器の使い勝手の向上を図ることができる。
【００１８】
（４）また、機器収容部の四隅にフロート収容部を配置した構成によると、それら四隅のフロート収容部にフロートを収容することで、機器収容部内の防水電子機器の四隅がフロートによるクッションで保護されるから、防水電子機器の落下衝撃による故障を防止できるという利点がある。
【図面の簡単な説明】
【００１９】
【図１】（ａ）は本発明の一実施形態である防水電子機器フロートジャケットを防水カメラの外面に装着した状態の正面斜視図、同図（ｂ）はその背面斜視図。
【図２】（ａ）は本発明の一実施形態である防水電子機器フロートジャケットを防水カメラの外面に装着した状態の正面図、（ｂ）はその左側面図、（ｃ）は右側面図、（ｄ）は上面図、（ｅ）は背面図。
【図３】（ａ）は図１、図２の防水電子機器フロートジャケットを構成するフロートの正面図、（ｂ）はその左側面図、（ｃ）は右側面図、（ｄ）は上面図、（ｅ）は背面図、（ｆ）は図中Ｆ１−Ｆ１線での断面図。
【図４】（ａ）は図１、図２の防水電子機器フロートジャケットを構成するジャケット本体の正面図、（ｂ）はその左側面図、（ｃ）は右側面図、（ｄ）は上面図、（ｅ）は背面図、（ｆ）は図中Ｆ２−Ｆ２線での断面図。
【図５】本発明の他の実施形態（機器収容室の両側にフロート収容室とフロートを備えるタイプ）。
【図６】本発明の他の実施形態（フロートとフロート収容室をＬ字形状に形成したタイプ）。
【図７】本発明の他の実施形態（機器収容室の四隅にフロート収容室とフロートを備えるタイプ）。
【図８】本発明の他の実施形態（機器収容室の底部にフロート収容室とフロートを備えるタイプ）。
【発明を実施するための形態】
【００２０】
以下、本発明を実施するための最良の形態について、添付した図面を参照しながら詳細に説明する。
【００２１】
図１（ａ）は、本発明の一実施形態である防水電子機器フロートジャケット１を防水カメラＣの外面に装着した状態の正面斜視図、同図（ｂ）はその背面斜視図、図２（ａ）はその正面図、（ｂ）はその左側面図、（ｃ）は右側面図、（ｄ）は上面図、（ｅ）は背面図である。この防水電子機器フロートジャケット１は、防水カメラＣの外面に装着して使用するフロートジャケットであって、シリコーンゴムで形成したジャケット本体２を備えている。ジャケット本体２は、フロート３を収容するためのフロート収容部４と、防水カメラＣを収容するための機器収容部５とを有し、フロート３をフロート収容部４に収容することによって防水カメラＣに浮力を付与する構造になっている。
【００２２】
≪フロートの詳細構成≫
図３（ａ）は、図１、図２の防水電子機器フロートジャケット１を構成するフロート３の正面図、（ｂ）はその左側面図、（ｃ）は右側面図、（ｄ）は上面図、（ｅ）は背面図、（ｆ）は図中Ｆ１−Ｆ１線での断面図である。このフロート３は防水カメラＣに浮力を付与する手段であるため、水に浮くものであればよく、その素材や浮力を得るための構造に関しては特に限定されない。例えば、発泡ウレタン樹脂、発泡スチロール樹脂等の発泡素材でフロート３を形成してもよいし、フロート３は内部に空気を充填した中空構造でもよい。
【００２３】
図３（ｃ）（ｄ）のように、フロート３の右側面には切り欠き６が設けられている。本実施形態では、フロート３をフロート収容部４に収容し、かつ、防水カメラＣを機器収容部５に収容したとき、防水カメラＣの側面部付近が前記切り欠き６に喰い込むように係合することで（図１（ａ）（ｂ）参照）、フロート３と防水カメラＣがコンパクトに、かつ両者がぐらつくことなく安定に一体化するように構成してある。
【００２４】
また、本実施形態では、前記のようなフロート３を防水カメラＣのグリップとして機能させるため、フロート３の外形をグリップの形状にしている。このグリップは、フロート３の正面部から左右両側面部に亘って形成した握り部３Ａ（図３（ａ）（ｄ）参照）と、フロート３の左側面部に設けたガイド溝３Ｂ（図３（ｂ）参照）と、フロート３の背面部に設けた凸部３Ｃ（図３（ｂ）から（ｅ）参照）とを備えている。
【００２５】
前記グリップの握り部３Ａは、手を軽く握ったときの掌の形状に合わせて円弧面形状に形成してある。また、前記グリップのガイド溝３Ｂは、その溝に人差し指を沿わせることで、防水カメラＣ上面のシャッターボタン等へ人差し指を自然に誘導できるように形成してある。前記グリップの凸部３Ｃは、その下部に親指を当てることで撮影時の手振れを小さくする等、撮影姿勢を安定させる機能等を有している。
【００２６】
さらに、本実施形態では、防水カメラＣを機器収容部５に収容した状態でも防水カメラＣのストラップＳをそのまま使用できるようにするため、フロート３に防水カメラＣのストラップＳを挿通させる通し孔７（図３（ｂ）（ｃ）（ｆ）参照）を設けている。この通し孔７は、フロート３の右側面部から左側面部を貫通する横孔のように形成されており、図２（ａ）のように防水カメラＣの左側面部に取り付けられているストラップＳは、この通し孔７と後述するフロート収容部４の開口部８を通じてジャケット本体２の側面から外部に露出するように構成してある。
【００２７】
≪フロート収容部４の詳細構成≫
図４（ａ）は図１、図２の防水電子機器フロートジャケット１を構成するジャケット本体２の正面図、（ｂ）はその左側面図、（ｃ）は右側面図、（ｄ）は上面図、（ｅ）は背面図、（ｆ）は図中Ｆ２−Ｆ２線での断面図である。
【００２８】
ジャケット本体２のフロート収容部４は、フロート３の外形と略同じ形状となるように形成してある。本実施形態ではフロート３をグリップの形状としているので、それに合わせてフロート収容部４の形状もグリップの形状になっている。
【００２９】
また、フロート収容部４は、その左側面部に開口部８を備えており（図４（ａ）（ｂ）参照）、開口部８からフロート収容部４内にフロート３を収容できる。
【００３０】
特に、本実施形態では、フロート収容部４内に収容したフロート３が開口部８から脱落するのを防止するために、前記開口部８はフロート３より小さい寸法となるように形成してある（図１（ａ）（ｂ）、図２（ａ）から（ｅ）参照）。従って、ジャケット本体２の弾性を利用して開口部８を拡げることにより、フロート収容部４内にフロート３を収容可能になる。なお、この開口部８は例えばフロート収容部４の底面部等、他の場所に設けてもよい。
【００３１】
開口部８からのフロート３の脱落防止構造としては、先に説明したように開口部８をフロート３より小さく設ける構造の他、ベルトで開口部８を閉鎖する構造、又は、開口部８を簡易的な蓋で閉鎖する構造等、各種の脱落防止構造を採用してもよい。
【００３２】
≪機器収容部５の詳細構成≫
機器収容部５は、それに収容する防水カメラＣの外形と略同じ形状となるように形成してある。また、この機器収容部５は、背面部に開口部９（図４（ｅ）（ｆ）参照）を備えており、開口部９から機器収容部５内に防水カメラＣを収容できる。
【００３３】
特に、本実施形態では、機器収容部５内に収容した防水カメラＣが開口部９から脱落するのを防止するために、前記開口部９は防水カメラＣより小さい寸法となるように形成してある（図１（ｂ）と図２（ｅ）参照）。従って、ジャケット本体２の弾性を利用して開口部９を拡げることにより、機器収容部５内に防水カメラＣを収容可能となる。なお、この開口部９も、例えば機器収容部５の底面部等、他の場所に設けてもよい。
【００３４】
開口部９からの防水カメラＣの脱落防止構造は、先に説明したフロート３の脱落防止構造と同様に、各種の脱落防止構造を採用し得る。
【００３５】
また、前記機器収容部５背面の開口部９は、防水カメラＣ背面の液晶表示部Ｃ１を露出させる窓として使用するため、少なくとも液晶表示部Ｃ１より大きい寸法となるように形成してある。
【００３６】
機器収容部５の正面部には、防水カメラＣのファインダー窓やフラッシュ等を露出させる窓１０が設けられ、機器収容部５の上面部には、防水カメラＣのシャッターボタン等を露出させる窓１１が設けられている。
【００３７】
≪防水電子機器フロートジャケット１の使用形態、使用方法等≫
以上のように構成された防水電子機器フロートジャケット１は、図１（ａ）（ｂ）のようにフロート収容部４にフロート３を収容し、かつ、機器収容部５に防水カメラＣを収容した形態で、使用される。
【００３８】
フロート収容部４にフロート３を収容するときは、ジャケット本体２の側面に開口しているフロート収容部４の開口部８を手で拡げ、拡がった開口部８からフロート３をフロート収容部４内に挿入すればよい。
【００３９】
また、機器収容部５内に防水カメラＣを収容するときは、ジャケット本体２の背面に開口している機器収容部５の開口部９を手で拡げ、拡がった開口部９から防水カメラＣを機器収容部５内に挿入すればよい。
【００４０】
この際、防水カメラＣにストラップＳが取り付けられている場合、そのストラップＳはフロート３の通し孔７に通すことでフロート収容部４の開口部８からジャケット本体２の側面に露出するので、当該ストラップＳは防水カメラＣに取り付けた状態のまま使用できる。
【００４１】
以上説明した本実施形態の防水電子機器フロートジャケット１によると、フロート収容部４にフロート３を収容する構造であるため、従来のフロート付ストラップのようにフロートが防水カメラから垂れ下がるようなことはなく、垂れ下がったフロートが防水カメラに接触して防水カメラを傷つけたり、撮影範囲に入って撮影の邪魔になったりする等の不具合もなく、使い勝手に優れる。
【００４２】
また、本実施形態の防水電子機器フロートジャケット１にあっては、フロート収容部４にフロート３を収容することで防水カメラＣに浮力を付与する構造であるため、特許文献１の従来のフロートジャケットのような蓋からの気体の漏れによる浮力の低下が生じるおそれはなく、水没による防水カメラの紛失を確実に防止することができる。更に、特許文献１の従来のフロートジャケットに比べて、浮力を得る構造がシンプルであり、簡単かつ安価に製造することができる。
【００４３】
さらに、本実施形態の防水電子機器フロートジャケット１によると、フロート３をグリップの形状とする構成の採用により、フロート３自体が防水カメラＣのグリップとして機能するから、防水カメラＣを安定に把持することができ、防水カメラＣの使い勝手の向上を図ることができる。
【００４４】
《他の実施形態》
図１（ａ）（ｂ）の防水電子機器フロートジャケット１では、機器収容部５の左側部にフロート収容部４を設けるとともに、この左側のフロート収容部４内にフロート３を収容する構成を採用したが、フロート収容部４は機器収容部５の右側部に設けるとともに、この右側のフロート収容部にフロートを収容する構成を採用することもできる。
【００４５】
また、図５のように機器収容部５の左右両側にフロート収容部４を１つずつ設けるとともに、それぞれのフロート収容部４にフロート３を一つずつ収容する構成を採用することもできる。この場合、左右いずれか一方のフロート３のみをグリップの形状とするか、双方のフロート３をグリップの形状としてもよい。
【００４６】
更に、図６のようにフロート３をＬ字形状とすることにより浮力を大きくする構成を採用することもできる。この場合、フロート収容部４もフロート３の形状に合わせてＬ字形状にする。
【００４７】
図７のようにフロート収容部４を機器収容部５の四隅に配置し、これら四隅のフロート収容部４にフロート３を収容する構成を採用することもできる。この構成によると、機器収容部５内の防水カメラＣの四隅がフロート３によるクッションで保護されるから、防水カメラＣの落下衝撃による故障を防止できるという利点がある。
【００４８】
また、図８のように機器収容部５の底部にフロート収容部４を配置し、この底部のフロート収容部４にフロート３を収容する構成を採用することもできる。
【００４９】
先に説明した実施形態では、ジャケット本体２をシリコーンゴムで形成したが、シリコーンゴム以外の他の弾性素材または剛性素材（ハードな素材）でジャケット本体２を形成してもよい。剛性素材でジャケット本体２を形成する場合は、ジャケット本体２を２分割構造とすること等により、フロート収容部４や機器収容部５内にフロート３や防水カメラＣを収容する構成を採用してもよい。
【００５０】
フロートの形状や数に関しては、添付図面に図示していない形態であってもよく、デザインに合わせて様々なバリエーションを採りうることは言うまでもない。
【符号の説明】
【００５１】
１  防水電子機器フロートジャケット
２  ジャケット本体
３  フロート
３Ａ  握り部
３Ｂ  ガイド溝
３Ｃ  凸部
４  フロート収容部
５  機器収容部
６  切り欠き
７  通し孔
８、９  開口部
１０、１１  窓
Ｃ  防水カメラ
Ｃ１  防水カメラの液晶表示部
Ｓ  防水カメラのストラップ
【図１】
2011221171.tif 000003
【図２】
2011221171.tif 000004
【図３】
2011221171.tif 000005
【図４】
2011221171.tif 000006
【図５】
2011221171.tif 000007
【図６】
2011221171.tif 000008
【図７】
2011221171.tif 000009
【図８】
2011221171.tif 000010